(57)【要約】【課題】  ケースおよび見切り板の製作が容易にでき、かつケースに対して見切り板を正確に位置決めすることができる見切り板を提供する。【解決手段】  腕時計ケース１の内周面に沿って腕時計ケース１に対する見切り板３の円周方向における取付誤差の範囲よりも小さいピッチで連続して設けられた第1凹凸部１０と、腕時計ケース１の第1凹凸部１０に対応する見切り板３の外周面に沿って第1凹凸部１０と同じピッチで連続して設けられて第1凹凸部１０に嵌合する第２凹凸部１１と、を備えた。従って、第１凹凸部１０と第２凹凸部１１との嵌合によって、腕時計ケース１に対して見切り板３をその円周方向における取付誤差の範囲以内で位置決めして配置できる。また、第１凹凸部１０と第２凹凸部１１とを同じ形状で形成できるので、腕時計ケース１と見切り板３とに第１凹凸部１０と第２凹凸部１１とを簡単にかつ容易に設けることができる。【選択図】        図２
2014035231.tif 000002
【特許請求の範囲】
【請求項１】
ケース内に見切り板を取り付ける見切り構造において、
前記ケースの内周面に沿って前記ケースに対する前記見切り板の円周方向における取付誤差の範囲よりも小さいピッチで連続して設けられた第1凹凸部と、
前記ケースの前記第1凹凸部に対応する前記見切り板の外周面に沿って前記第1凹凸部と同じピッチで連続して設けられ、かつ前記第1凹凸部に嵌合する第２凹凸部と、
を備えていることを特徴とする見切り構造。
【請求項２】
請求項１に記載の見切り構造において、前記第1凹凸部と前記第２凹凸部とは、その凹凸のピッチが前記見切り板の円周方向の角度において０．３度〜０．５度の角度範囲内に設定されていることを特徴とする見切り構造。
【請求項３】
請求項１または請求項２に記載の見切り構造において、前記第1凹凸部と前記第２凹凸部とは、それぞれローレット加工によって形成されていることを特徴とする見切り構造。
【請求項４】
請求項１〜請求項３のいずれかに記載の見切り構造において、前記ケースは金属で形成されており、前記見切り板は合成樹脂で形成されていることを特徴とする見切り構造。
【請求項５】
請求項１〜請求項４のいずれかに記載の見切り構造において、前記ケースと前記見切り板とには、その両方を互いに位置合わせるための位置合せ部が設けられていることを特徴とする見切り構造。
【請求項６】
請求項１〜請求項５のいずれかに記載の見切り構造において、前記見切り板には目盛が所定の間隔で設けられていることを特徴とする見切り構造。
【発明の詳細な説明】
【技術分野】
【０００１】
この発明は、腕時計などの時計に用いられる見切り構造に関する。
【背景技術】
【０００２】
例えば、腕時計においては、特許文献１に記載されているように、腕時計ケースの内周面に鍔状の突起部を腕時計ケースの内側に向けて突出させて設け、この突起部の上側に位置する腕時計ケース内に見切り板を位置決めして配置するように構成された見切り構造が知られている。
【先行技術文献】
【特許文献】
【０００３】
【特許文献１】実開昭６０−６１６８７号公報
【０００４】
このような腕時計の見切り構造では、見切り板を腕時計ケース内に位置決めするために、腕時計ケースの突起部の一部に切欠き部を設け、見切り板の下面に位置規制突起を設け、腕時計ケース内に見切り板を配置する際に、腕時計ケースの突起部の切欠き部に見切り板の位置規制突起を嵌合させることにより、見切り板を腕時計ケース内に位置決めするように構成されている。
【発明の概要】
【発明が解決しようとする課題】
【０００５】
しかしながら、このような腕時計の見切り構造では、腕時計ケースの突起部に切欠き部を高い精度で形成し、かつ見切り板の下面に位置規制突起を高い精度で形成しなければ、腕時計ケースに見切り板を正確に位置決めして配置することができないという問題がある。このため、腕時計ケースの製作および見切り板の製作が面倒で、時間がかかり、製作コストが高くなるという問題がある。
【０００６】
この発明が解決しようとする課題は、ケースおよび見切り板の製作が容易にでき、かつケースに対して見切り板を正確に位置決めすることができる見切り板を提供することである。
【課題を解決するための手段】
【０００７】
この発明は、ケース内に見切り板を取り付ける見切り構造において、前記ケースの内周面に沿って前記ケースに対する前記見切り板の円周方向における取付誤差の範囲よりも小さいピッチで連続して設けられた第1凹凸部と、前記ケースの前記第1凹凸部に対応する前記見切り板の外周面に沿って前記第1凹凸部と同じピッチで連続して設けられ、かつ前記第1凹凸部に嵌合する第２凹凸部と、を備えていることを特徴とする見切り構造である。
【発明の効果】
【０００８】
この発明によれば、ケースの第１凹凸部と見切り板の第２凹凸部との嵌合によって、ケースに対して見切り板をその両方の取付誤差の範囲以内で正確に位置決めして配置することができる共に、第１凹凸部と第２凹凸部とを同じ形状で形成することができるので、ケースと見切り板とに第１凹凸部と第２凹凸部とを簡単にかつ容易に設けることができる。このため、ケースおよび見切り板の製作が容易にできると共に、ケースに対して見切り板を正確に位置決めすることができる。
【図面の簡単な説明】
【０００９】
【図１】この発明を指針式の腕時計に適用した一実施形態を示した拡大正面図である。
【図２】図１に示された腕時計のＡ−Ａ矢視における要部を破断して示した拡大斜視図である。
【図３】図１に示された腕時計の腕時計ケースを裏面側から見た拡大斜視図である。
【図４】図１に示された腕時計の見切り板を示した拡大斜視図である。
【図５】図１に示された腕時計における腕時計ケースの要部を示した拡大斜視図である。
【図６】図４に示された見切り板を裏面から見た状態における要部を示した拡大斜視図である。
【図７】図５に示された腕時計ケースの第１凹凸部と図６に示された見切り板の第２凹凸部とが嵌合した状態を示した要部の拡大裏面図である。
【図８】図１における腕時計の位置合せ部を示し、（ａ）は位置合せ部の見切りマークとケースマークとが一致している状態を示した要部の拡大斜視図、（ｂ）は位置合せ部の見切りマークとケースマークとが位置ずれしている状態を示した要部の拡大斜視図である。
【発明を実施するための形態】
【００１０】
以下、図１〜図８を参照して、この発明を指針式の腕時計に適用した一実施形態について説明する。
この腕時計は、図１および図２に示すように、金属製の腕時計ケース１を備えている。この腕時計ケース１の上部開口部には、時計ガラス２がパッキン２ａを介して取り付けられている。この腕時計ケース１内における時計ガラス２の下側には、合成樹脂製の見切り板３が配置されている。
【００１１】
また、この腕時計ケース１の３時側の側部には、図１に示すように、押釦スイッチ４が設けられており、この腕時計ケース１の１２時側および６時側に位置する各側部には、バンド取付部５がそれぞれ設けられている。また、腕時計ケース１内における見切り板３の下側には、時計モジュール（図示せず）が配置されている。この時計モジュールは、指針６を運針させて時刻を指示する時計ムーブメントなどの時計機能に必要は各種の部品を備えている。さらに、この腕時計ケース１の下部には、裏蓋（図示せず）が取り付けられている。
【００１２】
ところで、この腕時計ケース１の内周面には、図２および図３に示すように、見切り板３の周縁部を支持するための鍔状の支持突起部７が、腕時計ケース１の内側に向けて突出した状態で、環状に形成されている。また、見切り板３は、図２および図４に示すように、全体がリング状に形成され、腕時計ケース１の支持突起部７上に配置されて、時計ガラス２との間に挟まれるように構成されている。
【００１３】
この見切り板３の上面には、図２および図４に示すように、外周側から内周側に向けて次第に低くなる傾斜面３ａが形成されている。また、この見切り板３の下面には、腕時計ケース１の支持突起部７が挿入する装着凹部８が環状に形成されている。この装着凹部８は、下側および外周側に開放された凹部であり、その形状が支持突起部７と同じ形状に形成されている。
【００１４】
この場合、腕時計ケース１の支持突起部７の内周面には、図２、図５および図７に示すように、第１凹凸部１０が支持突起部７の内周面に沿って連続して形成されている。また、見切り板３の装着凹部８の外周面、つまり腕時計ケース１の支持突起部７の内周面に設けられた第１凹凸部１０が対応する装着凹部８内の外周面には、図２、図６および図７に示すように、第１凹凸部１０に嵌合する第２凹凸部１１が装着凹部８の外周面に沿って連続して形成されている。
【００１５】
第１凹凸部１０と第２凹凸部１１とは、図５〜図７に示すように、その各中心軸方向と平行する断面山形の凹凸であり、その凹凸のピッチＰが、腕時計ケース１に対する見切り板３の円周方向における取付誤差の範囲よりも小さいピッチＰ、例えば凹凸のピッチＰが見切り板３の円周方向の角度において０．３度〜０．５度の角度範囲で、好ましくは０．４度の角度に設定されている。
【００１６】
すなわち、第１凹凸部１０と第２凹凸部１１との凹凸のピッチＰは、図７に示すように、見切り板３の円周方向の角度において０．３度〜０．５度の角度範囲に設定されていることにより、第１凹凸部１０と第２凹凸部１１とが嵌合した際に、腕時計ケース１と見切り板３との円周方向における取付誤差を１度以下の微小な角度にすることが可能になる。
【００１７】
また、この第１凹凸部１０と第２凹凸部１１とは、それぞれローレット加工によって形成されている。このローレット加工とは、図示しないが、第１凹凸部１０と第２凹凸部１１と同じ凹凸が表面に形成された回転体を工具の先端に回転自在に取り付け、この工具の回転体によって腕時計ケース１の支持突起部７の内周面または見切り板３の装着凹部８の外周面に凹凸を形成する加工である。
【００１８】
すなわち、このローレット加工は、工具の回転体を腕時計ケース１の支持突起部７の内周面または見切り板３の装着凹部８の外周面に押し付け、この状態で腕時計ケース１または見切り板３を回転させて、工具の回転体を各周面に沿って相対的に転動させると、この回転体の表面の凹凸を各周面に転写させることにより、腕時計ケース１の支持突起部７の内周面に第１凹凸部１０を形成し、また見切り板３の装着凹部８の外周面に第２凹凸部１１を形成する加工である。
【００１９】
これにより、見切り板３は、図２に示すように、腕時計ケース１の上方から腕時計ケース１の内部に挿入されて、腕時計ケース１の支持突起部７上に見切り板３の装着凹部８が配置される際に、図７に示すように、支持突起部７の内周面の第１凹凸部１０に装着凹部８の外周面の第２凹凸部１１が嵌合するように構成されている。
【００２０】
また、この見切り板３は、図２および図７に示すように、支持突起部７の内周面の第１凹凸部１０に装着凹部８の外周面の第２凹凸部１１が嵌合した状態で、第１凹凸部１０と第２凹凸部１１との各凹凸に沿って、腕時計ケース１の内部から腕時計ケース１の上方に引き出すと、支持突起部７の内周面の第１凹凸部１０から装着凹部８の外周面の第２凹凸部１１が抜けるように構成されている。
【００２１】
一方、腕時計ケース１と見切り板３とには、図１および図８に示すように、その両方を互いに位置合わせるための位置合せ部１２が設けられている。この位置合せ部１２は、見切り板３の上面における１２時に位置する外周部に設けられた見切りマーク１２ａと、この見切り板３の外周部に接近する腕時計ケース１の上面における１２時に位置する内周部に設けられたケースマーク１２ｂとを有している。
【００２２】
これにより、腕時計ケース１と見切り板３とは、図８（ａ）に示すように、見切り板３を腕時計ケース１の上方から腕時計ケース１の内部に挿入して、支持突起部７の内周面の第１凹凸部１０と装着凹部８の外周面の第２凹凸部１１とを嵌合させる際に、見切りマーク１２ａとケースマーク１２ｂとを対応させることにより、腕時計ケース１と見切り板３とを位置合せするように構成されている。
【００２３】
また、この見切り板２の上面に位置する傾斜面３ａには、図４に示すように、時字などの目盛１３が等間隔設けられている。この目盛１３は、１時から１２時までの時間を表す時目盛１３ａが３０度の間隔で設けられていると共に、６０分の分時間を表す分目盛１３ｂが６度の間隔で設けられた構成になっている。これにより、目盛１３は、時計ガラス２を通して腕時計ケース１の外部上方から見えるように構成されている。
【００２４】
次に、この腕時計の作用について説明する。
まず、腕時計ケース１と見切り板３とに第１凹凸部１０と第２凹凸部１１とを形成する場合について説明する。腕時計ケース１の支持突起部７の内周面に第１凹凸部１０を形成する際には、ローレット加工用の工具の回転体を支持突起部７の内周面に押し付け、この状態で腕時計ケース１を回転させると、工具の回転体が支持突起部７の内周面に沿って転動するので、回転体の表面に設けられた凹凸が支持突起部７の内周面に転写される。これにより、腕時計ケース１の支持突起部７の内周面に第１凹凸部１０が形成される。
【００２５】
同様に、見切り板３の装着凹部８の外周面、つまり腕時計ケース１の支持突起部７の内周面が対応する装着凹部８内の外周面に第２凹凸部１１を形成する際には、ローレット加工用の工具の回転体を装着凹部８内の外周面に押し付け、この状態で見切り板３を回転させると、工具の回転体が装着凹部８内の外周面に沿って転動するので、回転体の表面に設けられた凹凸が支持突起部７の内周面に転写される。これにより、見切り板３の装着凹部８の外周面に第２凹凸部１１が形成される。
【００２６】
この場合、第１凹凸部１０と第２凹凸部１１とは、腕時計ケース１に対する見切り板３の円周方向における取付誤差の範囲よりも小さいピッチＰ、例えば凹凸のピッチＰが見切り板３の円周方向の角度において０．３度〜０．５度の角度範囲で、好ましくは０．４度の角度で形成される。このため、第１凹凸部１０と第２凹凸部１１とが嵌合した際に、腕時計ケース１と見切り板３との円周方向における取付誤差を１度以下の微小な角度にすることが可能になる。
【００２７】
次に、見切り板３を腕時計ケース１に取り付ける場合について説明する。
この場合には、時計ガラス２を腕時計ケース１に取り付ける前に、まず、見切り板３を腕時計ケース１に取り付ける。このときには、腕時計ケース１のケースマーク１２ｂに見切り板３の見切りマーク１２ａを合わせながら、腕時計ケース１の上方から見切り板３を腕時計ケース１内に挿入し、腕時計ケース１の支持突起部７の内周面に設けられた第１凹凸部１０に、見切り板３の装着凹部８内の外周面に設けられた第２凹凸部１１を嵌合させる。
【００２８】
すなわち、腕時計ケース１の上方から見切り板３を腕時計ケース１内に挿入すると、腕時計ケース１の支持突起部７の内周面に設けられた第１凹凸部１０と、見切り板３の装着凹部８内の外周面に設けられた第２凹凸部１１とが、同じピッチＰで同じ形状に形成されているので、互いに噛み合って嵌合する。このため、第１凹凸部１０と第２凹凸部１１との噛み合いによって、衝撃や外的要因に対して腕時計ケース１と見切り板３とが位置ずれするのを確実に防ぐことができる。
【００２９】
このときには、第１凹凸部１０と第２凹凸部１１とが腕時計ケース１に対する見切り板３の円周方向における取付誤差の範囲よりも小さいピッチＰ、例えば見切り板３の円周方向の角度において０．３度〜０．５度の角度範囲で、好ましくは０．４度の角度で形成されるので、第１凹凸部１０と第２凹凸部１１とが嵌合した際には、腕時計ケース１と見切り板３とにおける両方の取付誤差の範囲以内で正確に位置決めされる。このため、第１凹凸部１０と第２凹凸部１１との嵌合により、腕時計ケース１と見切り板３との円周方向における取付誤差を１度以下の微小な角度にすることができるので、正確に位置決めすることができる。
【００３０】
また、腕時計ケース１の上方から見切り板３を腕時計ケース１内に挿入するときには、腕時計ケース１のケースマーク１２ｂと見切り板３の見切りマーク１２ａとを合わせることにより、腕時計ケース１に対して見切り板３を正確に位置合せすることができる。このとき、図８（ｂ）に示すように、腕時計ケース１のケースマーク１２ｂと見切り板３の見切りマーク１２ａとが位置ずれしている場合には、一度、見切り板３を腕時計ケース１内から取り外し、この取り外した見切り板３を再び腕時計ケース１内に挿入する。
【００３１】
このときには、見切り板３を少し回転させて、見切り板３の見切りマーク１２ａと腕時計ケース１のケースマーク１２ｂとを正確に一致させ、この状態で腕時計ケース１の上方から見切り板３を腕時計ケース１内に挿入し、腕時計ケース１の支持突起部７の内周面に設けられた第１凹凸部１０に、見切り板３の装着凹部８内の外周面に設けられた第２凹凸部１１を嵌合させれば良い。
【００３２】
このように腕時計ケース１に見切り板３を取り付ける際に、第１凹凸部１０と第２凹凸部１１との噛合い位置をずらすことにより、腕時計ケース１に対する見切り板３の取付位置を、見切り板３の円周方向における取付誤差の範囲以内において、微調整することができ、これにより腕時計ケース１に対して見切り板３を正確に位置決めすることができる。
【００３３】
このため、時計ムーブメントの指針６を運針させて指針６の位置を確認した後に、見切り板３の位置を調整することができるので、指針６と見切り板３の目盛１３とを正確に位置合わせすることができる。なお、この後は、腕時計ケース１の上部開口部にパッキン２aを介して時計ガラス２を嵌め込んで見切り板３上に配置する。これにより、見切り板３が時計ガラス２によって支持突起部７上に押し付けられて固定される。
【００３４】
このように、この腕時計の見切り構造によれば、腕時計ケース１の支持突起部７の内周面に沿って腕時計ケース１に対する見切り板３の円周方向における取付誤差の範囲よりも小さいピッチPで連続して設けられた第1凹凸部１０と、腕時計ケース１の支持突起部７の内周面に設けられた第１凹凸部１０が対応する見切り板３の装着凹部８の外周面に沿って第1凹凸部１０と同じピッチPで連続して設けられ、かつ第1凹凸部１０に嵌合する第２凹凸部１１と、を備えていることにより、腕時計ケース１および見切り板３の製作が容易にでき、かつ腕時計ケース１に対して見切り板３を正確に位置決めすることができる。
【００３５】
すなわち、この腕時計の見切り構造では、腕時計ケース１の第１凹凸部１０と見切り板３の第２凹凸部１１との嵌合によって、腕時計ケース１に対して見切り板３をその両方の円周方向における取付誤差の範囲以内で正確に位置決めして配置することができると共に、衝撃や外的要因に対して腕時計ケース１と見切り板３とが位置ずれするのを確実に防ぐことができる。また、第１凹凸部１０と第２凹凸部１１とを同じ形状で形成することができるので、腕時計ケース１と見切り板３とに第１凹凸部１０と第２凹凸部１１とを簡単にかつ容易に設けることができる。
【００３６】
このため、腕時計ケース１および見切り板３の製作が容易にできると共に、腕時計ケース１に見切り板３を取り付ける際に、第１凹凸部１０と第２凹凸部１１との噛合い位置をずらすことにより、腕時計ケース１に対する見切り板３の取付位置を、見切り板３の円周方向における取付誤差の範囲以内において、微調整することができ、これにより腕時計ケース１に対して見切り板３を正確に位置決めすることができる。
【００３７】
この場合、第1凹凸部１０と第２凹凸部１１とは、その凹凸のピッチＰが見切り板３の円周方向の角度において０．３度〜０．５度の範囲内で、かつ好ましくは０．４度の角度に設定されていることにより、第１凹凸部１０と第２凹凸部１１とが嵌合した際に、腕時計ケース１と見切り板３との両方の円周方向における取付誤差を１度以下の微小な角度にすることができる。このため、腕時計ケース１に対して見切り板３を精度良く位置決めすることができる。
【００３８】
また、第1凹凸部１０と第２凹凸部１１とは、それぞれローレット加工によって形成されているので、腕時計ケース１の支持突起部７の内周面に第１凹凸部１０を簡単にかつ容易に形成することができると共に、見切り板３の装着凹部８の外周面に第２凹凸部１１を簡単にかつ容易に形成することができる。
【００３９】
すなわち、ローレット加工とは、第１凹凸部１０と第２凹凸部１１と同じ形状の凹凸が表面に形成された回転体を工具の先端に回転自在に取り付け、この工具の回転体を腕時計ケース１の支持突起部７の内周面または見切り板３の装着凹部８の外周面に押し付け、この状態で腕時計ケース１または見切り板３を回転させて、回転体を各周面に沿って相対的に転動させることにより、腕時計ケース１の支持突起部７の内周面に第１凹凸部１０を簡単にかつ容易に形成することができると共に、見切り板３の装着凹部８の外周面に第２凹凸部１１を簡単にかつ容易に形成することができる。
【００４０】
また、この腕時計の見切り構造では、腕時計ケース１が金属で形成されており、見切り板３が合成樹脂で形成されていることにより、腕時計ケース１の第１凹凸部１０と見切り板３の第２凹凸部１１とを嵌合させる際に、第１凹凸部１０と第２凹凸部１１とが０．３度〜０．５度の角度範囲内の微細なピッチＰであっても、金属製の第１凹凸部１０に合成樹脂製の第２凹凸部１１を無理なく確実にかつ良好に嵌合させることができる。
【００４１】
さらに、この腕時計の見切り構造では、腕時計ケース１と見切り板３とに、その両方を互いに位置合わせるための位置合せ部１２が設けられていることにより、この位置合せ部１２によって腕時計ケース１に対して見切り板３を位置合わせることができ、これにより見切り板３を腕時計ケース１に対して正確に取り付けることができる。
【００４２】
すなわち、この位置合せ部１２は、見切り板３の上面における１２時に位置する外周部に設けられた見切りマーク１２ａと、この見切り板３の外周部に接近する腕時計ケース１の上面における１２時に位置する内周部に設けられたケースマーク１２ｂとを有しているので、見切り板３を腕時計ケース１内に挿入して、支持突起部７の内周面の第１凹凸部１０に装着凹部８の外周面の第２凹凸部１１を嵌合させる際に、見切りマーク１２ａとケースマーク１２ｂとを対応させることにより、腕時計ケース１と見切り板３とを正確にかつ確実に位置合せすることができる。
【００４３】
この場合、見切り板３には、目盛１３が所定の間隔で設けられているので、位置合せ部１２によって見切り板３が腕時計ケース１に対して正確に位置合せされることにより、目盛１３を腕時計ケース１に対して正確にかつ良好に設置することができる。この場合、見切り板３の上面には、その外周側から内周側に向けて次第に低くなる傾斜面３ａが設けられているので、この傾斜面３ａに目盛１３を設けることにより、時計ガラス２を通して目盛１３を良好に見ることができる。
【００４４】
また、目盛１３は、３０度の間隔で１時から１２時までの時間を表す時目盛１３ａ、および６度の間隔で６０分の分時間を表す分目盛１３ｂを有していても、これら時目盛１３ａおよび分目盛１３ｂを見切り板３の傾斜面３ａに設けることができるので、時計ガラス２を通して時目盛１３ａおよび分目盛１３ｂを腕時計ケース１の外部上方から良好に見ることができる。
【００４５】
なお、上述した実施形態では、第１凹凸部１０を腕時計ケース１の支持突起部７の内周面に設け、第２凹凸部１１を見切り板３の装着凹部８の外周面に設けた場合について述べたが、これに限らず、例えば第１凹凸部１０を支持突起部７の上側に位置する腕時計ケース１の内周面に設け、第２凹凸部１１を装着凹部８の上側に位置する見切り板３の外周面に設けた構成であっても良い。このように構成しても、上述した実施形態と同様の作用効果がある。
【００４６】
また、上述した実施形態では、第１凹凸部１０と第２凹凸部１１との各凹凸を断面山形状に形成した場合について述べたが、これに限らず、例えば各凹凸の上下部が円弧状をなすような波形状に形成した構成であっても良い。
【００４７】
また、上述した実施形態では、見切り板３を合成樹脂で形成した場合について述べたが、必ずしも合成樹脂を射出成形によって形成する必要はなく、金属で形成しても良い。この場合にも、ローレット加工によって見切り板３に第２凹凸部１１を容易に形成することができる。
【００４８】
さらに、上述した実施形態では、指針式の腕時計に適用した場合について述べたが、必ずしも指針式の腕時計である必要はなく、液晶表示パネルやＥＬ（エレクトロ・ルミネッセンス）表示パネルなどの平面型の表示部で時刻などの情報を表示するデジタル式の腕時計にも適用することができるほか、必ずしも腕時計に限らず、例えばトラベルウオッチ、目覚まし時計、置き時計、掛け時計などの各種の時計にも広く適用することができる。
【００４９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５０】
（付記）
請求項１に記載の発明は、ケース内に見切り板を取り付ける見切り構造において、前記ケースの内周面に沿って前記ケースに対する前記見切り板の円周方向における取付誤差の範囲よりも小さいピッチで連続して設けられた第1凹凸部と、前記ケースの前記第1凹凸部に対応する前記見切り板の外周面に沿って前記第1凹凸部と同じピッチで連続して設けられ、かつ前記第1凹凸部に嵌合する第２凹凸部と、を備えていることを特徴とする見切り構造である。
【００５１】
請求項２に記載の発明は、請求項１に記載の見切り構造において、前記第1凹凸部と前記第２凹凸部とは、その凹凸のピッチが前記見切り板の円周方向の角度において０．３度〜０．５度の角度範囲内に設定されていることを特徴とする見切り構造である。
【００５２】
請求項３に記載の発明は、請求項１または請求項２に記載の見切り構造において、前記第1凹凸部と前記第２凹凸部とは、それぞれローレット加工によって形成されていることを特徴とする見切り構造である。
【００５３】
請求項４に記載の発明は、請求項１〜請求項３のいずれかに記載の見切り構造において、前記ケースは金属で形成されており、前記見切り板は合成樹脂で形成されていることを特徴とする見切り構造である。
【００５４】
請求項５に記載の発明は、請求項１〜請求項４のいずれかに記載の見切り構造において、前記ケースと前記見切り板とには、その両方を互いに位置合わせるための位置合せ部が設けられていることを特徴とする見切り構造である。
【００５５】
請求項６に記載の発明は、請求項１〜請求項５のいずれかに記載の見切り構造において、前記見切り板には目盛が所定の間隔で設けられていることを特徴とする見切り構造である。
【符号の説明】
【００５６】
１  腕時計ケース
２  時計ガラス
３  見切り板
３ａ  傾斜面
６  指針
７  支持突起部
８  装着凹部
１０  第１凹凸部
１１  第２凹凸部
１２  位置合せ部
１２ａ  見切りマーク
１２ｂ  ケースマーク
１３  目盛
１３ａ  時目盛
１３ｂ  分目盛
Ｐ  凹凸のピッチ
【図１】
2014035231.tif 000003
【図２】
2014035231.tif 000004
【図３】
2014035231.tif 000005
【図４】
2014035231.tif 000006
【図５】
2014035231.tif 000007
【図６】
2014035231.tif 000008
【図７】
2014035231.tif 000009
【図８】
2014035231.tif 000010